(57)【要約】【課題】羽毛敷物の側地内における中綿としての羽毛充填の均一化すること、キルト桝中の羽毛をフリーな状態に保つこと、敷物の使用中及び洗濯中に羽毛の吹出し、移動による羽毛の偏在を防止することが課題である。【解決手段】先ず袋状敷物側地にキルテイングを行い、側地全体に適正数のキルト桝を作成し、次いで作成した各キルト桝に定量の羽毛を各々充填して、充填口をキルテイング縫製によって閉じることにより完成する。本製法により製造された羽毛敷物は各課題を解決し、羽毛敷物としての特性として均一なクッション性、保温性の向上、取扱性の改善が得られる。【選択図】    図１
2004344597.tif 000002
【特許請求の範囲】
【請求項１】
敷物の袋状側地をキルテイングした後に各キルト桝に中綿として定量の羽毛を充填する新規製造法によって作られたことを特徴とする羽毛敷物
【請求項２】
キルト桝数が敷物側地表布１平方米あたり２０桝から４０桝の範囲であり、各桝に充填する羽毛量が３ｇから３０ｇの範囲である請求項１記載の羽毛敷物
【請求項３】
他の敷物と縫製又は張合わせ接着して合体または縫製により一体化した請求項１または請求項２に記載の羽毛敷物
【発明の詳細な説明】
【０００１】
【発明の属する分野】
寝具である敷き布団関連分野の敷物、インテリア分野における各種敷物、小物雑貨に相当する敷物等敷物全体に属する。
【０００２】
【従来の技術】
本発明の羽毛敷物と従来の羽毛敷物との基本的な違いは本発明の羽毛敷物が側地をキルテイングした後に中綿としての羽毛を充填するのに対し、従来の羽毛敷物は中綿としての羽毛を充填後に側地をキルテイングすることである。この製造方法の相違により、敷物の品質は幾つかの点で差異を生ずる。その第１は羽毛敷物全体に分布する羽毛中綿が前者は極めて均一であるに対し、後者は敷物製造段階でも、使用中においても不均一になる場合が多い。第２として前者は羽毛の移動が皆無であるに反し、後者は羽毛の吹出し及び移動を生ずる可能性が大きい。第３は前者がキルト桝中の羽毛の全てがフリーで充分な空気を含んで保温性が高いのに反し、後者は羽毛を充填後にキルテイングするために羽毛の一部を縫糸により固定化させ、フリーな羽毛が少なくなり、含気率が低下し、保温性も低下する。これらの結果として従来のキルテイングした敷物は上記欠陥に加えてクッション性の低下、取扱性の不備、更には敷物全体の品質グレードが本発明の敷物に比して低位にある。
【０００３】
羽毛、敷物、キルテイングをキーワードとして特許、実用新案を平成１５年０３月２０発行分まで検索の結果、特許７件、実用新案７件がピックアップされた。特許７件は夫々本発明の属する分野とは異なり、該当しない。実用新案については（１）実開昭５７−１１６１５３寝具用敷物（２）実開昭５７−１１６１５４寝具用敷物（３）実公平０１−１８０８０羽毛パッド（４）実開昭６１−７７８５９敷き寝具被着用羽毛パッドの４件に関し内容検討結果、本発明に該当するものは無かった。他の３件については分野を異にし該当しない。
【０００４】
【発明が解決しようとする課題】
本発明は請求項１で示すごとくキルテイングした羽毛敷物であり、その従来製品の改善を図ることが目的である。羽毛は本来、その特質から掛け布団の中綿として用いられている。その特質とは軽量であること、弾性があること、含気量が大きいこと、自然物として冬暖かく、夏涼しい触感が得られること等が挙げられる。羽毛は一般にフェザーとダウンの混合物により成立っている。フェザーは水鳥の羽根であり、ダウンは羽根の根元にある産毛といわれるもので、その繊度はフェザーに比べて極細でバルキー性に富んでいる。このダウンの特性を如何に発揮させるかが羽毛製品にとって重要な点である。
【０００５】
本発明の課題は羽毛敷物として羽毛の特長を最大限に発揮させ、羽毛敷物の品質を向上させることにある。第１は羽毛敷物の中綿として用いられる羽毛が羽毛敷物全体に均一に分布させることである。羽毛敷物中における羽毛の偏在は羽毛の特質を有効に発揮できない傾向を生ずる。敷物の場所により保温性、弾性、含気性等の機能が低下し、取扱性も悪くなり、敷物としての品位も低下する。第２はキルテイング縫製によって羽毛を拘束して本来の羽毛がフリーな状態で発揮する機能が同様低下することである。また一旦拘束された羽毛が使用及び洗濯により移動し、敷物中における羽毛の偏在の原因となる。キルテイングによって羽毛を縫込んでしまうことは羽毛自体の損傷の原因ともなり、且つ縫製の縫目を乱すことにもなる。これらの問題点を解決することが本発明の課題である。
【０００６】
【課題を解決するための手段】
羽毛敷物は羽毛ふとん等の上掛けものに比べて使用条件は過酷である。均一な敷物内の羽毛の分布を確保し、羽毛の吹出し、移動を防ぐには基本的な製造条件の変更が必要である。従来方式では羽毛ふとん等の上掛けものには通用するかもしれないが、羽毛敷物では品質の低下は免れない。課題を解決する手段即ち基本的な製造条件の設定として、先ず第１に敷物側地のキルテイング縫製を行うことである。ついで第２にキルテイング縫製で作られた各キルテイング桝に予め決められた定量の羽毛を充填することである。請求項１に記載されているごとく、この工程順序が解決手段であり、順序を間違えてはならない。更に請求項２に示されるごとく、付加的条件としてキルテイングの桝目の数及び各キルテイング桝に充填する羽毛量が敷物の品質即ち用途による適性な敷物製造に不可欠である。本発明による羽毛敷物は単体のみでなく、他の敷物に縫製又は接着による合体及び縫製による他敷物と一体化した羽毛敷物についても課題を解決する上述の製法は同じである。
【０００７】
【発明の実施の形態】
羽毛敷物側地（表布及び裏布からなる袋状側地）に先ずキルテイング縫製をするが、図１のごとくキルテイング桝２サイズの設計により桝数を決定し、キルテイング後に羽毛が充填可能な状態にするため各桝目に羽毛充填口３を作くりながらキルテイング縫製をする。キルテイング縫製は設計に従って正確に行う。キルト桝サイズは請求項２にて範囲を示すごとく敷物としての用途によって設計される。
【０００８】
敷物側地のキルテイング後に各キルト桝２に請求項２にて範囲を示すように設計された定量を充填する。充填は羽毛充填口に吹込みパイプを通して図１にある敷物の中央部４のキルト桝から充填し、各キルト桝毎に順次充填後、キルテイング縫製により充填口を閉じる。充填方法は中央部４より上半分又は下半分に向かって順序通り充填する。
【０００９】
敷物が請求項３に示される他の敷物に縫製又は接着によって合体又は縫製によって一体化する場合においても敷物側地のキルテイング後に羽毛を充填する順序は変わらない。本発明の羽毛敷物が他の敷物と接着又は縫製等の張合わせにより合体させる、もしくは縫製等による他の敷物と一体化させる方法によって作られる場合においても上述のごとく、本発明の順序により実施される。
【００１０】
【実施例１】
図１はシングルサイズ羽毛敷物のキルテイング製造の仕様図であり、敷物として最も標準的な条件である。側地サイズはヨコ１０４ｃｍ×タテ２０５ｃｍ＝２。１ｍ２、製品サイズはヨコ１００ｃｍ×タテ２００ｃｍ＝２ｍ２である。キルト桝２のサイズはヨコ１５ｃｍ×タテ２５．８ｃｍ＝３８７ｃｍ２、キルト桝２数は７×８＝５６キルト桝２、羽毛充填量は１キルト桝２当たり６ｇに設計されているので総充填量は６ｇ×５６キルト桝２＝３３６ｇ用いる。以上の設計により先ずキルテイングされ、その後、羽毛を図１のごとく充填口３を敷物タテ方向の上半分及び下半分に７口作成し、タテ方向の上半分４の４×７＝２８キルト桝２については最も奥のキルト桝２（中央部境界縫目４のキルト桝２）から充填パイプを用いてキルト桝２に各６ｇを充填しながら、充填後の充填口３をキルトミシンで縫い閉じて行く。更にタテ下半分も同様に中央部境界縫目４のキルト桝２から順次、羽毛を各キルト桝毎に６ｇ充填し、充填口３を充填後、縫い閉じて行く。この方法によって側地全体に充填する従来法に比して分割された５６キルト桝２の全てに羽毛が定量的均一に充填され、敷物全体に羽毛分布は均一化される。更に各キルト桝中の羽毛はフリーの状態で存在するため羽毛の特性である含気率が高まり、保温性、弾性が向上する。キルト縫製１の運針数は１６目／吋であり、従来のごとくキルテイング縫目１が羽毛充填後の縫いではないので縫目１に羽毛が挟まることはない。故に使用中または洗濯中に縫目１が緩むことなく、キルト桝２から他のキルト桝２に吹出したり、移動することを防せぐことができる。モニタリング結果は羽毛分布均一性、クッション性、保温性に関して更には１０回洗濯後の諸品質について良好な評価を得ている。
【００１１】
【発明の効果】
羽毛敷物は掛けふとん等の上掛け物と比してタフさが必要になる。即ちキルト縫製及び羽毛の充填が決められた順序通りにきちっとされなければならない。本発明の羽毛敷物は中綿として充填された羽毛が敷物全体に均一に分布すること及び羽毛がキルテイング縫製時に縫目によって羽毛が縫込まれ固定化されないので、羽毛が１００％フリーな状態で存在し、更には縫目に羽毛が縫込まれていないので使用及び洗濯においても縫目の緩みが発生しないことにより、羽毛の吹出し及びキルト桝間の移動は防がれる等の品質改善が顕著である。即ち敷物としての使用感、保温性、クッション性、取扱性の改善効果が見込まれ、従来にない高品質でしかも使用にタフさが要求される羽毛敷物に適した新しい製法によって作られた羽毛敷物として効果が顕著である。
【図面の簡単な説明】
【図１】シングルサイズ羽毛敷物のキルテイング桝のサイズと羽毛充填量を示し、更に羽毛充填口を示した羽毛敷物全体の平面図である。
【符号の説明】
１  側地キルテイング縫目
２  キルト桝
３  羽毛充填口
４  敷物上半分及び下半分境界縫目
【図１】
2004344597.tif 000003